(57)【要約】【課題】比較的構造が簡単で安価に製造でき、しかも操作が容易な足場用幅木装置を提供する。【解決手段】仮組架台の足場材又は踏板からなる既設材１４に取付けて使用する足場用幅木装置１０であって、長尺の幅木本体１１と、幅木本体１１の片面に隙間を有して複数取付けられ、下部にＵ字状屈曲部１２を有する取付け金具１３と、取付け金具１３の途中位置に設けられて既設材１４の上端部１５に係合する補助金具１６と、Ｕ字状屈曲部１２を貫通する水平軸部１７を有し、水平軸部１７にはレバー部１８の基端部が連結された操作部材１９と、水平軸部１７に固着され、操作部材１９の回動によって上にある既設材１４のクランプ及びクランプ解除を行う駒材２０とを有する。【選択図】図１
2010189906.tif 000002
【特許請求の範囲】
【請求項１】
仮組架台の足場材又は踏板からなる既設材に取付けて使用する足場用幅木装置であって、
長尺の幅木本体と、
前記幅木本体の片面に隙間を有して複数取付けられ、下部にＵ字状屈曲部を有する取付け金具と、
前記取付け金具の途中位置に設けられて前記既設材の上端部に係合する補助金具と、
前記Ｕ字状屈曲部に設けられて該Ｕ字状屈曲部を貫通する水平軸部を有し該水平軸部にはレバー部の基端部が連結された操作部材と、
前記水平軸部に固着され、前記操作部材の回動によって上にある前記既設材のクランプ及びクランプ解除を行う駒材とを有することを特徴とする足場用幅木装置。
【請求項２】
請求項１記載の足場用幅木装置において、前記幅木本体は波板からなって、長さが９００〜３６００ｍｍで高さが１００〜５００ｍｍの範囲にあることを特徴とする足場用幅木装置。
【請求項３】
請求項１及び２のいずれか１記載の足場用幅木装置において、前記駒材のクランプ終了時に、前記操作部材の回り過ぎを防止するストッパーが設けられていることを特徴とする足場用幅木装置。
【発明の詳細な説明】
【技術分野】
【０００１】
本発明は、建築や土木工事の作業足場となる足場材（足場板）又は踏板に取付け使用し、作業者の踏み外し等を防止する足場用幅木装置に関する。
【背景技術】
【０００２】
建築や土木工事の仮設作業足場には、建枠足場、システム足場、支保工用の足場などがある。これらのいずれの場合も、水平横架材の間に足場材を仮設して作業床を形成している。
【０００３】
上記のような仮設作業足場については、当局より墜落防止ガイドラインが通達され、足場材上で足を滑らせることによって発生する足場材上からの墜落を防止する装置として、また、足場材上からの物品の落下を防止するため、足場材の建物と反対側の位置に足場用の幅木を起立状に設けることが必要となっている。
【０００４】
仮設作業足場における幅木の例としては、例えば、特許文献１に記載の足場用幅木が提案されている。この足場用幅木は、幅木本体の両端部に、この幅木本体の下部から一面側に突出し、幅木本体を起立状態で足場材上に載置するための載置板と、幅木本体が足場材上に起立する状態で足場材の下面側に係脱自在となり、幅木本体を足場材に直接固定する取付け金具を設けた構成を採用している。
【０００５】
また、取付け金具は、幅木本体に垂直の軸心を中心に回転可能に取り付けた回転軸と、幅木本体の下面から突出する回転軸の下端水平軸部に回転及び当該水平軸方向への移動が可能となるよう取り付けられ、側面に傾斜面が設けられ、足場材の下面側に位置させた直立状態で上端部を足場材の下面に当接させることができる係合金具と、係合金具に対してその側面の傾斜面が足場材の下面内側コーナに圧接する方向の移動弾性を付勢する弾性部材とで形成されている。
【先行技術文献】
【特許文献】
【０００６】
【特許文献１】特開２００５−１３９６６３号公報
【発明の概要】
【発明が解決しようとする課題】
【０００７】
しかしながら、特許文献１に開示の足場用幅木は解決すべき以下のような問題がある。
（１）幅木を足場材に固定する場合は、取付け金具を軸心中心に回転させた後、係合金具を足場材の下面に当接させるという２段階の動作が必要となる。
（２）更に、係合金具を固定する動作においては、係合金具をバネ（弾性部材）の付勢力に抗して外側へ引き寄せ、その状態で足場材の下面に押しつける必要があるため、締め付けの手間が大きい。一方で、係合金具の上面に設けられた突起によって足場材に固定する構成としているが、当該突起とは別に足場材の枠体に係合金具の傾斜面が当接する構成であるため、足場材の形状によっては当該突起で幅木を支える支持力が弱くなるという問題を有する。
【０００８】
（３）取付け金具が幅木本体に垂直の軸心を中心に回転可能に取り付けられているため、複数枚を積み重ねるときに当該軸心を中心に取付け金具が回転し、載置板と取付け金具が幅木本体に対して反対側に向く場合があり、幅木の幅寸法が大きくなる場合がある。従って、複数枚の幅木を重ねる場合、嵩張りやすく結束が困難である。
（４）構造が複雑で製作にコストがかかる。
【０００９】
本発明はかかる事情に鑑みてなされたもので、比較的構造が簡単で安価に製造でき、しかも操作が容易な足場用幅木装置を提供することを目的とする。
【課題を解決するための手段】
【００１０】
前記目的に沿う本発明に係る足場用幅木装置は、仮組架台の足場材又は踏板からなる既設材に取付けて使用する足場用幅木装置であって、
長尺の幅木本体と、
前記幅木本体の片面に隙間を有して複数取付けられ、下部にＵ字状屈曲部を有する取付け金具と、
前記取付け金具の途中位置に設けられて前記既設材の上端部に係合する補助金具と、
前記Ｕ字状屈曲部に設けられて該Ｕ字状屈曲部を貫通する水平軸部を有し該水平軸部にはレバー部の基端部が連結された操作部材と、
前記水平軸部に固着され、前記操作部材の回動によって上にある前記既設材のクランプ及びクランプ解除を行う駒材とを有する。
【００１１】
本発明に係る足場用幅木装置において、前記幅木本体は波板からなって、長さが９００〜３６００ｍｍで高さが１００〜５００ｍｍの範囲にあるのが好ましい。
また、本発明に係る足場用幅木装置において、前記駒材のクランプ終了時に、前記操作部材の回り過ぎを防止するストッパーが設けられているのが好ましい。
【発明の効果】
【００１２】
本発明に係る足場用幅木装置においては、幅木本体の片面に隙間を有して複数取付けられ、下部にＵ字状屈曲部を有する取付け金具と、この取付け金具の途中位置に設けられて足場材又は踏板からなる既設材の上端部に係合する補助金具と、Ｕ字状屈曲部に設けられてＵ字状屈曲部を貫通する水平軸部を有し、水平軸部にはレバー部の基端部が連結された操作部材と、水平軸部に固着され、操作部材の回動によって上下にある既設材のクランプ及びクランプ解除を行う駒材とを有するので、レバー部を操作することによって、上部の補助金具と駒材との間で、既設材を挟持する。このような取付け金具が幅木本体の片面に複数箇所にわたって設けられているので、確実に足場用幅木装置を既設材に固定できる。
更に、この足場用幅木装置は部品点数も少なく、構造が簡単であり、故障も少なく長期の使用に耐える。
【００１３】
特に、幅木本体が波板からなって、長さが９００〜３６００ｍｍで高さが１００〜５００ｍｍの範囲にあるようにした場合には、幅木本体も曲げ強度を有し、しかも既設の足場材等に取付けられる。
そして、駒材のクランプ終了時に、操作部材の回り過ぎを防止するストッパーを設けた場合には、ストッパーの動作で駒材のクランプ位置を確認できる。
【図面の簡単な説明】
【００１４】
【図１】（Ａ）は本発明の一実施の形態に係る足場用幅木装置の主要断面図、（Ｂ）は同足場用幅木装置の一部省略正面図である。
【図２】（Ａ）は本発明の一実施の形態に係る足場用幅木装置の主要断面図、（Ｂ）は同足場用幅木装置の一部省略正面図である。
【図３】同足場用幅木装置を足場材に装着した状態の正面図である。
【図４】（Ａ）〜（Ｄ）は同足場用幅木装置の装着状態を示す説明図である。
【図５】（Ａ）〜（Ｄ）は同足場用幅木装置の装着状態を示す説明図である。
【図６】（Ａ）は同足場用幅木装置の正面図であり、（Ｂ）は同図における矢視Ａ−Ａ’断面図である。
【発明を実施するための形態】
【００１５】
続いて、添付した図面を参照しつつ、本発明を具体化した実施の形態につき説明し、本発明の理解に供する。
図１〜図６に示すように、本発明の一実施の形態に係る足場用幅木装置１０は、要約すれば、長尺の幅木本体１１と、幅木本体１１の片面に隙間を有して複数（この実施の形態では２個）取付けられ、下部にＵ字状屈曲部１２をそれぞれ有する取付け金具１３と、取付け金具１３の途中位置に設けられて仮組架台に用いる既設材の一例である足場材１４の上端部１５に係合する補助金具１６と、Ｕ字状屈曲部１２に設けられてＵ字状屈曲部１２を貫通する水平軸部１７及び水平軸部１７にその基端部が連結されるレバー部１８を備えた操作部材１９と、水平軸部１７に固着された駒材２０とを有する。以下、これらについて詳しく説明する。
【００１６】
図６（Ａ）、（Ｂ）に示すように、幅木部材１１は、長さが９００〜３６００ｍｍで高さが１００〜５００ｍｍの範囲にあり、０．６〜１．６ｍｍ厚の鋼板（普通鋼板、高張力鋼板、ステンレス鋼板）を角波状に折り曲げた波板から形成されている。そして、幅木部材１１の上端は下方向内側に折り曲げられた後、更に内側に折り曲げられた上折り曲げ形成部２１が設けられ、板の端部が露出しないようになっている。また、幅木部材１１の下端は上方向内側に折り曲げられた後、更に内側に折り曲げられた下折り曲げ形成部２２が形成され、板の端部が露出しないようになっている。
【００１７】
この幅木部材１１の上折り曲げ形成部２１及び下折り曲げ形成部２２に当接して２個の取付け金具１３が固着されている。この取付け金具１３は３〜６ｍｍ厚の平板を折り曲げて形成され、垂直板部２３の下側を水平に折り曲げた水平部２４及びその先側を垂直方向に折り曲げた垂直折り曲げ部２５を有するＵ字状屈曲部１２が形成されている。なお、図１（Ａ）、（Ｂ）、図２（Ａ）、（Ｂ）に示すように、Ｕ字状屈曲部１２の角部にはアール（Ｒ）部２６、２７が設けられているが、各アール部２６、２７では部材が略直角に曲げられている。
【００１８】
図１に示すように、取付け金具１３の途中位置（即ち、中間位置）には、補助金具１６が設けられている。この補助金具１６は垂直部２９、水平部３０及び垂れ下がり部３１を有するＳ字状に屈曲し、水平部３０の直下に既設の足場材１４の上端部１５が当接できるようになっている。なお、足場材１４の高さをｈ１とし、補助金具１６の垂れ下がり部３１の下端と取付け金具１３の垂直折り曲げ部２５の上端との隙間をｃ１とすると、高さｈ１より隙間ｃ１の方が大きくなっている。
【００１９】
ここで、高さｈ１と隙間ｃ１は以下の式（１）を満足するのが好ましい。
ｈ１＜ｃ１＜１．３×ｈ１        ・・・・・（１）
これによって、補助金具１６とＵ字状屈曲部１２との間に、足場材１４を嵌入させることができる。なお、当然のことながら、補助金具１６の下側懐は足場材１４の上端部１５が嵌入できる幅を有している。
【００２０】
取付け金具１３のＵ字状屈曲部１２には、平行状態にある垂直板部２３と垂直折り曲げ部２５を操作部材１９の水平軸部１７が貫通している。水平軸部１７の垂直折り曲げ部２５から突出する先端部には図示しないワッシャと割りピンやＣリング等からなる抜け止めが設けられている。
【００２１】
この水平軸部１７の基側にはレバー部（把手）１８の基端部が一体的に連結されている。従って、操作部材１９は直径が９〜１５ｍｍの丸棒（鉄又はステンレス）を折り曲げ形成されている。垂直板部２３と垂直折り曲げ部２５の間にある水平軸部１７には、操作部材１９の回動によって、足場材１４の押圧（クランプ）及びその解除を行う駒材２０が設けられている。この駒材２０は鉄片をコ字状に折り曲げて形成されるが、無垢の鉄材（ステンレスを含む）によって構成してもよい。
【００２２】
水平軸部１７を中心にするこの駒材２０の取付け角度は、水平軸部１７に対するレバー部１８の形成角度と同一となっている。図５（Ａ）〜（Ｄ）に示すように、駒材２０を上部位置に配置した状態での駒材２０の上端と補助金具１６の水平部３０の下端との高さｈ４は、足場材１４の高さｈ１と同一か僅少の範囲（０を超え１ｍｍ未満）で小さくなっている。また、図４（Ａ）〜（Ｄ）に示すように、レバー部１８を水平状態にした場合は、駒材２０の高さが垂直折り曲げ部２５の上端の高さより低くなって、足場材１４が自由に取り外せるようになっている。なお、ｈ３は駒材２０が起立した状態での水平軸部１７の軸心からの高さを示す。
【００２３】
なお、図５（Ｄ）の拡大図に示すように、コ字状の駒材２０の一方側の側壁３４を更に延長して斜線で示すようにストッパー３５を形成し、操作部材１９を水平位置から９０度以上回した場合、ストッパー３５の先端が、取付け金具１３のＵ字状屈曲部１２の溝底である水平部２４に当接して、それ以上の回転を止めることができるようにすることも可能である。
また、図４（Ａ）〜（Ｄ）に示すように、操作部材１９を水平状態にした場合、レバー部１８が水平状態から更に下側に回るのを防止するストッパーを設けることもできる。
【００２４】
本発明は、前記実施の形態に限定されるものではなく、本発明の要旨を変更しない範囲での改良、数値変更は可能である。例えば、この実施の形態においては、幅木本体は波板によって構成したが、木材、金属、プラスチック等のボードによって構成することもできる。
また、ストッパーは操作部材の回り止めを防ぐ構造のものであれば、如何なるものであってもよい。
更に、足場材の代わりに踏板に直接、足場用幅木装置１０を装着することもできる。
【符号の説明】
【００２５】
１０：足場用幅木装置、１１：幅木本体、１２：Ｕ字状屈曲部、１３：取付け金具、１４：足場材、１５：上端部、１６：補助金具、１７：水平軸部、１８：レバー部、１９：操作部材、２０：駒材、２１：上折り曲げ形成部、２２：下折り曲げ形成部、２３：垂直板部、２４：水平部、２５：垂直折り曲げ部、２６、２７：アール部、２９：垂直部、３０：水平部、３１：垂れ下がり部、３４：側壁、３５：ストッパー
【図１】
2010189906.tif 000003
【図２】
2010189906.tif 000004
【図３】
2010189906.tif 000005
【図４】
2010189906.tif 000006
【図５】
2010189906.tif 000007
【図６】
2010189906.tif 000008